(57)【要約】      （修正有）【課題】対象物を握った手の状態を維持する手状態維持具において、片手のみで容易に固定できる手状態維持具を提供する。【解決手段】手状態維持具１は、張力を有した状態で手に巻きつくことで手を締め付けることができるベルト部２と、ベルト部の一端部を手の所定位置に固定する第１固定部と、ベルト部の他端側に設けられ、手を締め付けた状態でベルト部を手に固定する第２固定部４とを備える。第１固定部によってベルト部の一端部が一方の手の所定位置に固定されるため、他方の片手のみでベルト部の他端部を引っ張り、一方の手に巻き付けることができる。そして、第２固定部によってベルト部を一方の手を締め付けた状態で容易に固定することができる。【選択図】図２
0003223410.tif 000002
【実用新案登録請求の範囲】
【請求項１】
張力を有した状態で手に巻きつくことで手を締め付けることができるベルト部（２）と、
このベルト部の一端部を手の所定位置に固定する第１固定部（３）と、
前記ベルト部の他端部に設けられ、手を締め付けた状態で前記ベルト部を手に固定する第２固定部（４）とを備える手状態維持具（１）。
【請求項２】
請求項１に記載の手状態維持具において、
前記第１固定部は、前記ベルト部の一端部に配される指の挿通可能な環状部（５）であることを特徴とする手状態維持具。
【請求項３】
請求項１に記載の手状態維持具において、
前記第１固定部は、前記ベルト部の一端部が接続される手袋（９）であることを特徴とする手状態維持具。
【請求項４】
請求項１〜３のいずれか１つに記載の手状態維持具において、
前記第２固定部は面ファスナーを構成することを特徴とする手状態維持具。
【考案の詳細な説明】
【技術分野】
【０００１】
本考案は、対象物を握った手の状態等を維持できる手状態維持具に係る。
【背景技術】
【０００２】
従来から、ゴルフクラブを握ったときの手の状態を維持できる手状態維持具として親指挿入部と人差し指挿入部とが連結されたゴルフ用手袋が知られている（例えば、特許文献１参照。）。
【０００３】
しかし、このようなゴルフ用手袋ではゴルフにしか利用できず、親指挿入部と人差し指挿入部とが連結されているため、親指、人差し指を自由に動かすことができず手袋本来の機能が制限される問題があった。
【０００４】
そこで、織ゴム製のベルト材等を用い、ゴルフクラブ等の対象物を握ったときの手の状態を維持する対策が考えられる。なお、このようなベルト材は面ファスナーによって手に着脱自在に固定されることが一般的である。
しかし、このような場合、一方の手で対象物を握った状態を崩さないようにするため一方の手でベルト材を掴んで固定することは難しく、他方の片手のみでベルト材を引っ張りつつ一方の手に固定することは非常に困難であった。
【先行技術文献】
【特許文献】
【０００５】
【特許文献１】特開２００４−４１６５３号公報
【考案の概要】
【考案が解決しようとする課題】
【０００６】
本考案は、上記の問題点を解決するためになされたものであり、一方の手の状態を維持するように他方の片手のみで容易に固定できる手状態維持具を提供する。
【課題を解決するための手段】
【０００７】
本考案によれば、手状態維持具は、張力を有した状態で手に巻きつくことで手を締め付けることができるベルト部と、ベルト部の一端部を手の所定位置に固定する第１固定部と、ベルト部の他端側に設けられ、手を締め付けた状態でベルト部を手に固定する第２固定部とを備える。
【０００８】
これにより、第１固定部によってベルト部の一端部が一方の手の所定位置に固定されるため、他方の片手のみでベルト部の他端部を引っ張り、一方の手に巻き付けることができる。そして、第２固定部によってベルト部を一方の手を締め付けた状態で固定することができる。
このため、手状態維持具は、一方の手の状態を維持するように他方の片手のみで容易に固定できる。
【図面の簡単な説明】
【０００９】
【図１】手状態維持具の全体図である（第１実施例）。
【図２】手状態維持具の装着図である（第１実施例）。
【図３】手状態維持具の固定図である（第１実施例）。
【図４】手状態維持具の装着図である（第２実施例）
【考案を実施するための形態】
【００１０】
以下、考案を実施するための形態を実施例に基づいて説明する。
なお、以下の実施例は具体的な一例を開示するものであり、本考案が以下の実施例に限定されないことは言うまでもない。
【実施例】
【００１１】
［第１実施例］
本考案の第１実施例による手状態維持具１を図１〜３に示す。
手状態維持具１は、以下に説明するベルト部２、第１固定部３、第２固定部４を有する。
ベルト部２は、張力を有した状態で手に巻き付くことで手を締め付けることができる。ここで、ベルト部２は、例えば、伸縮性の織ゴム製ベルトであり、伸ばした状態で手に巻き付けることで手を締め付けることができる。
【００１２】
第１固定部３は、ベルト部２の一端部を手の所定位置に固定する。
ここで、第１固定部３は、ベルト部２の一端部に配される指の挿通可能な環状部５となっている。
なお、本実施例において、環状部５に挿通する指は親指となっているが、環状部５に挿通する指は親指に限定されるものではなく、複数の指が環状部５を挿通するものであってもよい。
【００１３】
第２固定部４は、ベルト部２の他端部に設けられ、手を締め付けた状態でベルト部２を手に固定する。
ここで、第２固定部４は面ファスナーのループ部７となっている。
そして、第２固定部４は、第１固定部３近傍に配される面ファスナーのフック部８に係合することでベルト部２を手に固定している。
なお、面ファスナーは係脱自在な構成であればよいため、ループ部７とフック部８の配置は逆になっていてもよく、ループ部７フック部８が明確に区別されていないものであってもよい。
【００１４】
［第１実施例の効果］
手状態維持具１は、張力を有した状態で手に巻きつくことで手を締め付けることができるベルト部２と、ベルト部２の一端部を手の所定位置に固定する第１固定部３と、ベルト部２の他端側に設けられ、手を締め付けた状態でベルト部２を手に固定する第２固定部４とを備える。
【００１５】
これにより、第１固定部３によってベルト部２の一端部が一方の手の所定位置に固定されるため、他方の片手のみでベルト部２の他端部を引っ張り、ベルト部２を張力を有する状態にして、一方の手に巻き付けることができる。そして、第２固定部４によってベルト部２を一方の手を締め付けた状態で固定することができる。
このため、手状態維持具１は、一方の手の状態を維持するように他方の片手のみで容易に固定できる。
【００１６】
手状態維持具１において、第１固定部３は、ベルト部２の一端部に配される指の挿通可能な環状部５となっている。
これにより、環状部５に指を挿通するだけで容易にベルト部２を一方の手の所定位置に固定することができる。
なお、環状部５はベルト部２の一端部を折り返し自身に端部を縫い付けること等で容易に形成することができる。
【００１７】
手状態維持具１において、第２固定部４は面ファスナーを構成する。
これにより、面ファスナーの係合を解くことで、ベルト部２による手の維持状態を解くことができ、手状態維持具１を手から容易に取り外すことができる。即ち、手状態維持具１を手に対して容易に着脱脱自在な構成とすることができる。
なお、面ファスナーは種類も豊富であり、入手性も非常に良好である。
【００１８】
なお、図２、３においては一方の手は、何らかの対象物を握った状態を維持するようにベルト部２が固定されているが、対象物を握らない状態で固定するものであってもよい。
また、図２、３においては一方の手は、左手であるが、特に限定するものではない。
【００１９】
［第２実施例］
本発明の第２実施例による手状態維持具１を図４に示す。
第２実施例においては、第１実施例と異なる部分を中心に説明する。
なお、図中第１実施例と同一機能物には、同一符号を付して表している。
【００２０】
手状態維持具１の第１固定部３は、ベルト部２の一端部が接続される手袋９となっている。
また、第２固定部４は面ファスナーのループ部７となっており、第２固定部４は、ベルト部２と手袋９との接続部近傍に設けられる面ファスナーのフック部８に係合することでベルト部２を手に固定している。
なお、手袋９とベルト部２との接続は縫い合わせ、面ファスナーを利用するもの等が考えられる。
【００２１】
これにより、手袋９に手をはめるだけで、ベルト部２を手の所定位置に固定することができる。
また、ベルト部２の張力に起因する第１固定部３の引っ張られる力を手袋９全体に分散させることができる。
【００２２】
［変形例］
本考案は、その要旨を逸脱しない範囲で様々な変形例を考えることができる。
実施例においては、第２固定部４は面ファスナーを構成していたが、第２固定部４を小鉤とし掛け糸に係合させてもよい。
また、第２固定部４を、スナップボタンを構成する態様とすることもできる。
【００２３】
実施例においては、ベルト部２が１つであったが、ベルト部２を複数有する構成とすることもできる。
これにより維持すべき手の状態の選択肢を増やすことができ、手の状態を維持する保持力を高めることもできる。
【００２４】
また、実施例においては、ベルト部２は伸縮性の織ゴム製ベルトであったが、普通の布製としてもよい。
これにより、ベルト部２の材質選択の幅を広げることができる。
なお、ベルト部２が布製の場合、きつく巻き付けることで張力を有する状態で手に巻き付くことになる。
【符号の説明】
【００２５】
１  手状態維持具  ２  ベルト部  ３  第１固定部  ４  第２固定部
【図１】
0003223410.tif 000003
【図２】
0003223410.tif 000004
【図３】
0003223410.tif 000005
【図４】
0003223410.tif 000006